(57)【要約】      （修正有）【課題】スリーブに対する弁棒の止着工数を大幅に削減し、歯付止め輪に押圧力を加えるだけで位置決定ができ、組み付けを簡素化し、大幅に組み付けコストを削減する。また、スリーブと弁棒との結合強度を大とし、スリーブに対する弁棒の止着位置を無段階とする。【解決手段】弁室６５内に弁体６７を有する弁本体６１と、弁本体上部に載置固定される電動部３０とを備える。密閉ケース８１内に配置されたロータ８３を有し、かつ、弁体６７が弁棒７０でロータ８３に連結される。ロータ８３は、外側にマグネット８９と内側にスリーブ８４とを配置し、スリーブで弁本体に取付固定した固定ガイド９０と螺合する。スリーブ８４に対して弁棒７０は円環状の歯付止め輪１００により固定される。【選択図】図１
2004183756.tif 000002
【特許請求の範囲】
【請求項１】
弁室内に弁体を有する弁本体と、該弁本体上部に載置固定される電動部とを備え、前記電動部が密閉ケース及び該密閉ケースの内側のケース内室に配置されたロータとを具備し、かつ、前記弁体が弁棒で前記ロータに連結されると共に、前記弁室と前記ケース内室とが流体の連通を可能とした電動弁において、前記ロータは、外側にマグネットと内側にスリーブとが配置され、該スリーブは前記弁本体に取付固定された固定ガイドと螺合し、上記弁棒はスリーブに環状の歯付止め輪により固定されていることを特徴とする電動弁。
【請求項２】
上記歯付止め輪の歯は、弁棒を固定した状態において、弾性変形していることを特徴とする請求項１記載の電動弁。
【発明の詳細な説明】
【０００１】
【発明の属する技術分野】
本発明は、電動弁に係り、特に冷暖房の冷凍サイクルに用いられる冷媒等の流体の流量を制御する電動弁に関する。
【０００２】
【従来の技術】
この種の冷凍サイクル等に使用される従来の電動弁は、例えば、特許文献１に開示されている。図３は特許文献１に示された電動弁を示しており、先ず、この従来技術に係る流量制御用の電動弁１０について説明する。
電動弁１０を構成する弁本体１１には、上部にステッピングモータ等の電動部３０が載置固定され、弁本体１１の外側に配管接続部１２，１３を備えていると共に、弁本体１１には弁室１５が形成され、該弁室１５内には弁体１７が配置されている。また、該弁体１７は弁棒２０に取付固定され、弁座体２１は前記弁本体１１に螺合されている。前記配管接続部１２内には入口側通路１２ａが穿設されていると共に、前記配管接続部１３には出口側通路１３ａが穿設され、両通路１２ａ，１３ａは前記弁室１５に連通している。前記弁棒２０はその中間部を前記弁本体１１の上部部分１１ａに摺動可能に支持されていると共に、弁棒２０の上部部分２０ａは電動部３０内に挿入されている。
【０００３】
電動部３０は、弁本体１１に載置固定される円筒状の密閉ケース３１と、該密閉ケース３１の外側に配置されたステータコイル３２と、前記密閉ケース３１のケース内室３１ａに配置されたロータ３３とで構成されている。また、該ロータ３３を構成するスリーブ３４とマグネット３９は、その嵌合接合部を接着剤で貼着固定されていると共に、その上部にて固定具４４により固定されている。
また、前記弁本体１１の上部部分１１ａには、前記弁棒２０と同軸芯に、かつ、該弁棒２０を摺動可能に内挿する固定ガイド４０が固定されている。前記弁棒２０の上方部分２０ａは、前記スリーブ３４上部の連結壁３４ａの中心に穿設された孔を貫通してその突出端がＣリング４１で止着されると共に、前記弁棒２０の中間段部と前記スリーブの連結壁の内側ワッシャ４２との間に弁体１７を閉弁方向に付勢する緩衝バネ４３を介在させている。
【０００４】
【特許文献１】
特開２０００−３５６２７８号公報（特に、段落番号０００２−００１２及び図３）
【０００５】
【発明が解決しようとする課題】
しかし、上記従来技術においては、弁棒２０にスリーブ３４を止着するに当たって、Ｃリング４１を用いているが、弁棒とスリーブとの位置調整を弁座体及び密閉ケースによって行っていることから組立て工数が多くなり、作業性が悪いという問題がある。また、弁座体を弁本体と一体とした構成の場合は、別途、スペーサを圧入することで対応しているが、この場合には品質にばらつきが生じるばかりでなく、弁座体やネジにダメージが加わるという問題がある。
【０００６】
本発明は、上記従来の電動弁の組み付け上の問題点に鑑み発明されたもので、弁棒とスリーブとの位置調整及びその組み付けが容易でしかも固定状態が確実な電動弁を提供することを目的とする。
【０００７】
【課題を解決する手段】
本発明は、上記課題を達成するために、下記の手段を講じた。即ち、
請求項１記載の電動弁は、弁室内に弁体を有する弁本体と、該弁本体上部に載置固定される電動部とを備え、前記電動部が密閉ケース及び該密閉ケースの内側のケース内室に配置されたロータとを具備し、かつ、前記弁体が弁棒で前記ロータに連結されると共に、前記弁室と前記ケース内室とが流体の連通を可能とした電動弁において、前記ロータは、外側にマグネットと内側にスリーブとが配置され、該スリーブは前記弁本体に取付固定された固定ガイドと螺合し、上記弁棒はスリーブに環状の歯付止め輪により固定されていることを特徴とする。
【０００８】
請求項２記載の電動弁は、請求項１記載の電動弁において、上記歯付止め輪の歯は、弁棒を固定した状態において、弾性変形していることを特徴とする。
【０００９】
【発明の実施の形態】
以下、本発明の実施の形態を図面を参照して説明する。図１は本実施形態の電動弁６０の縦断面図を示している。図１において、真鍮等の材料で形成される弁本体６１は、上部にステッピングモータ等の電動部３０を載置固定し、その外側にネジ切りされた配管接続部６２，６３を備えている。また、前記弁本体６１内には弁室６５が形成され、該弁室６５には弁体６７と弁座体７１とが同一軸芯で配置されている。前記弁体６７は弁棒７０に取付固定され、前記弁座体７１は前記弁本体６１に上下位置調節自在に螺合して固定されている。
【００１０】
前記配管接続部６２内には、入口側通路６２ａが穿設されていると共に、前記配管接続部６３には出口側通路６３ａが穿設され、両通路６２ａ，６３ａは、前記弁室６５に連通接続している。前記弁棒７０は、その中間部を前記弁本体６１の上部部分６１ａに摺動可能に軸支されていると共に、該弁棒７０の上部部分７０ａは、電動部３０内に挿入されている。
【００１１】
前記電動部３０は、前記弁本体６１の前記上部部分６１ａに載置固定される非磁性体の板で構成される円筒状の密閉ケース８１と、該密閉ケース８１の外側に配置されたステータコイル（図外）と、前記密閉ケース８１のケース内室８１ａに配置されたロータ８３で構成されている。該ロータ８３は、内周側に配置されたステンレス製のスリーブ８４と外周側に配置されたマグネット８９とで形成されている。また、前記ロータ８３を構成する前記スリーブ８４とマグネット８９とは、その嵌合接合部を接着剤で貼着固定されていると共に、その上部にて固定具９４を用いて固定されている。
【００１２】
前記密閉ケース８１は、下蓋８１ｂとキャン体８１ｃとで形成され、前記下蓋８１ｂ（弁本体６１）には全閉ストッパ８５が固着されており、前記ロータ８３の前記スリーブ８４の下端部に突出量を調節できるように螺装された閉弁規制ピン８６が前記全閉ストッパ８５の外周面部に当接して、前記ロータ８３の閉弁下降限を規制している。前記スリーブ８４の上部外周には上方に延設されて連結壁８４ａが形成され、該連結壁８４ａには、図示を省略しているが、開弁規制ピンがその突出量を調節できるように螺合されており、前記弁体６７の全開時に前記キャン体８１ｃの上端のストッパ（図外）に当接して前記ロータ８３の開弁上昇限を規制する構成となっている。
【００１３】
また、前記弁本体６１の上部部分６１ａには、前記弁棒７０と同軸芯に、かつ、該弁棒７０を摺動可能に内挿するステンレス製の中空筒状の固定ガイド９０が固定されている。該固定ガイド９０の外周には雄ネジ９０ａが刻設されていると共に、前記スリーブ８４の中心部の内周には雌ネジ８４ｂが刻設され、前記雄ネジ９０ａと螺合している。
【００１４】
また、ロータ８３を構成するスリーブ８４に弁棒７０を固定するために、図２に詳細に示すような環状の歯付止め輪１００を用いている。該歯付止め輪１００は弾性金属材の薄板からなり、円環状で円周部１０１の中心位置には孔があり、該孔の中心部に向けて３枚の歯部１０３が円周部１０１と一体に形成されている。そして、３枚の歯部１０３の中心側の縁は、弁棒７０の上部部分７０ａの周部に当接した時に、若干弾性変形して傾斜角度が大となり該上部部分７０ａの周部に食い込むことで結合強度も大きくなる。また、前記弁棒７０の中間段部７０ｂと前記スリーブの連結壁の内側ワッシャ９２との間に弁体６７を閉弁方向に付勢する緩衝バネ９３を介在させている。
【００１５】
前記の如く構成された電動弁３０は、外部からの電気（パルス）信号によって励磁されると、前記ロータ８３が前記電気信号量に基づき所定量回動する。該ロータ８３は前記固定ガイド９０にその雌ネジ８４ｂと雄ネジ９０ａとで螺合しているので、前記ロータ８３は、その回動によって上下の所定方向に移動し、固定されている前記弁棒７０を同様に上下の所定方向に移動させ、前記弁体６７が前記弁座体７１に対してその間隔を移動させて、前記電動弁３０によって制御される冷媒の流量を、付与される電気信号の量に対応して制御するものである。
【００１６】
かかる構成により、スリーブ８４に弁棒７０が嵌合されている状態において、歯付止め輪１００を圧入部材として弁棒７０に上方から強く押し圧すると、歯付止め輪１００はスリーブ８４の上面に当接した状態で弁棒７０に強く固定され、しまりばめとして機能することとなる。
【００１７】
【発明の効果】
本発明は、以上のように構成により、弁棒をスリーブに環状の歯付き止め輪で一体に止着することで、従来技術の不利点をことごとく解消することができる。即ち、スリーブに対する弁棒の止着工数を大幅に削減し、全体として歯付止め輪に押圧力を加えるだけで位置決定ができ、組み付けが非常に簡素化されると共にバラツキがなく、大幅な組み付けコストの削減が可能となる。また、環状の歯付止め輪によりスリーブと弁棒との結合強度を大とし、また、スリーブに対する弁棒の止着位置を無段階とすることができる。更に、環状の歯付止め輪は低荷重で組み付けられるので、組み付け時において弁座体等にダメージを与えることはない。
【図面の簡単な説明】
【図１】本発明の一実施形態を示す電動弁の縦断面図。
【図２】図１における止め輪の平面図。
【図３】従来技術に係る電動弁の縦断面図。
【符号の説明】
１０・・電動弁（公知）
１１・・弁本体        １１ａ・・弁本体の上部部分
１２・・配管接続部    １２ａ・・入口側通路
１３・・配管接続部    １３ａ・・出口側通路  １５・・弁室    １７・・弁体
２０・・弁棒      ２０ａ・・弁棒の上部部分        ２１・・弁座体
３０・・電動部    ３１・・密閉ケース        ３１ａ・・ケース内室
３２・・ステータコイル    ３３・・ロータ
３４・・スリーブ        ３４ａ・・（スリーブの上部の）連結壁
３９・・マグネット      ４０・・固定ガイド      ４１・・Ｃ形リング
４２・・内側ワッシャ    ４３・・緩衝バネ        ４４・・固定具
６０・・電動弁（本発明の実施形態）
６１・・弁本体            ６１ａ・・弁本体の上部部分
６２・・配管接続部    ６２ａ・・入口側通路
６３・・配管接続部    ６３ａ・・出口側通路
６５・・弁室      ６７・・弁体
７０・・弁棒      ７０ａ・・弁棒の上部部分    ７０ｂ・・中間段部
７１・・弁座体    ８１・・密閉ケース            ８１ａ・・ケース内室
８１ｂ・・下蓋    ８１ｃ・・キャン体          ８３・・ロータ
８４・・スリーブ  ８４ａ・・上部の連結壁        ８４ｂ・・雌ネジ
８５・・全閉ストッパ    ８６・・閉弁規制ピン    ８９・・マグネット
９０・・固定ガイド      ９０ａ・・雄ネジ
９２・・内側ワッシャ    ９３・・緩衝バネ        ９４・・固定具
１００・・（環状の）歯付止め輪      １０１・・円周部      １０３・・歯部
【図１】
2004183756.tif 000003
【図２】
2004183756.tif 000004
【図３】
2004183756.tif 000005